(57)【要約】【課題】１ピースのブランクを手作業で組み立てて商品を包装でき、簡単に開封して商品を展示できる包装展示兼用箱を提供する。【解決手段】前壁１、底面板２、後面板３、天面板４及び前面板５を順次連設し、底面板２又は後面板３に側面板６を連設すると共に、天面板４又は前面板５に蓋側板７を連設した構成とし、前壁１、底面板２、後面板３及び側面板６により商品を収納するトレイ部分２１を形成し、天面板４、前面板５及び蓋側板７により蓋部分２２を形成して、トレイ部分２１に蓋部分２２を被せる。展示に際しては、後面板３と天面板４の境界の両端へ向かう切目線１１を切断して、トレイ部分２１と蓋部分２２とに分離する。【選択図】図３
2015145274.tif 000002
【特許請求の範囲】
【請求項１】
前壁(1)、底面板(2)、後面板(3)、天面板(4)及び前面板(5)を順次連設し、底面板(2)又は後面板(3)に側面板(6)を連設すると共に、天面板(4)又は前面板(5)に蓋側板(7)を連設し、前壁(1)、底面板(2)、後面板(3)及び側面板(6)により商品を収納するトレイ部分(21)を形成し、天面板(4)、前面板(5)及び蓋側板(7)により蓋部分(22)を形成して、トレイ部分(21)に蓋部分(22)を被せ、
展示に際しては、後面板(3)と天面板(4)の境界の両端へ向かう切目線(11)を切断して、トレイ部分(21)と蓋部分(22)とに分離するようにした包装展示兼用箱。
【請求項２】
後面板(3)の両側に側面板(6)を連設し、前面板(5)の両側に蓋側板(7)を連設した請求項１に記載の包装展示兼用箱において、側面板(6)及び蓋側板(7)に切欠部分を設けることにより、包装時に、蓋側板(7)の後部が側面板(6)の内側へ入り込むように側面板(6)と蓋側板(7)とが噛み合って、蓋側板(7)の外側への広がりが抑制されるようにしたことを特徴とする包装展示兼用箱。
【請求項３】
底面板(2)の両側に側面板(6)を連設し、天面板(4)の両側に蓋側板(7)を連設した請求項１に記載の包装展示兼用箱において、対向する側面板(6)から延出した内後板(15)を突き合わせ、天面板(4)に入れた切目線(11)が後面板(3)と天面板(4)の境界の両端へ向かうようにして、天面板(4)の切目線(11)より後方部分を巻込片(11b)とし、
展示に際しては、巻込片(11b)を巻き込むように折り曲げて、内後板(15)を後面板(3)と巻込片(11b)との間に挟み込み、巻込片(11b)の先端部を内後板(15)に設けた差込穴(15c)に差し込むことにより、トレイ部分(21)の後部の組立構造を維持するようにしたことを特徴とする包装展示兼用箱。
【請求項４】
請求項１乃至３のいずれかに記載の包装展示兼用箱において、前壁(1)は、外前板(8)及び内前板(10)が底面板(2)から順次連なる構成とし、側面板(6)の前端に折込片(12)を連設し、包装に際しては、外前板(8)及び内前板(10)を巻き込むように折り曲げ、折込片(12)を外前板(8)と内前板(10)との間に挟み込み、前壁(1)と側面板(6)とを底面板(2)から起立状態に保持するようにしたことを特徴とする包装展示兼用箱。
【発明の詳細な説明】
【技術分野】
【０００１】
この発明は、商品の包装及び展示に兼用される包装展示兼用箱に関するものである。
【背景技術】
【０００２】
従来、下記特許文献１には、図１２に示すように、商品を収容するトレイ体５１と、これに外側から被せる蓋体５２とから成る包装展示兼用箱が記載されている。
【０００３】
この包装展示兼用箱のトレイ体５１及び蓋体５２は、別体のブランクからそれぞれ組み立てられ、トレイ体５１は、底壁５３、前面壁５４、後面壁５５及び一対の側面壁５６を有し、蓋体５２は、天面壁５７、前面壁５８、後面壁５９及び一対の側面壁６０を有するものとされている。前面壁５４，５８及び後面壁５５には、それぞれミシン目状の切目線６１ａ，６２ａ，６３ａを入れて切取部６１，６２，６３が設けられている。
【０００４】
そして、この包装展示兼用箱を使用して、商品を店舗への配送のため包装する際には、前面壁５４，５８を切取部６１，６２の領域内の接着部６４で接着し、後面壁５５，５９を切取部６３の領域内の接着部６５で接着することにより、トレイ体５１と蓋体５２とを固定し、封緘状態とする。
【０００５】
一方、店頭で商品を展示する際には、切取部６１，６２を、切目線６１ａ，６２ａの切断に伴い、貼り合わされた状態で前面壁５４，５８から切り取り、蓋体５２を後面壁５９の下端縁を中心にして回転させることにより、切取部６３を、切目線６３ａの切断に伴い後面壁５９に貼り付いた状態で、後面壁５５から切り取る。
【０００６】
このように開封すると、トレイ体５１と蓋体５２とが分離されるので、トレイ体５１から蓋体５２を除去して、トレイ体５１に収容された商品を、買物客から見えやすいように露出させた状態で展示することができる。
【先行技術文献】
【特許文献】
【０００７】
【特許文献１】特開２０１２−３０８９２号公報
【発明の概要】
【発明が解決しようとする課題】
【０００８】
しかしながら、上記のような包装展示兼用箱では、トレイ体５１及び蓋体５２とが別体となっていることから、包材管理が煩雑となるほか、組み立てに際し、糊貼り工程が必要となり、高価な包装機械を導入しなければ、商品の包装が難しいという問題がある。
【０００９】
また、店頭で開封して展示状態とする際、２段階の切取工程が必要なため、作業に手間がかかるという問題もある。
【００１０】
そこで、この発明は、１ピースのブランクを手作業で組み立てて商品を包装でき、簡単に開封して商品を展示できる包装展示兼用箱を提供しようとするものである。
【課題を解決するための手段】
【００１１】
上記課題を解決するため、この発明は、前壁、底面板、後面板、天面板及び前面板を順次連設し、底面板又は後面板に側面板を連設すると共に、天面板又は前面板に蓋側板を連設し、前壁、底面板、後面板及び側面板により商品を収納するトレイ部分を形成し、天面板、前面板及び蓋側板により蓋部分を形成して、トレイ部分に蓋部分を被せ、展示に際しては、後面板と天面板の境界の両端へ向かう切目線を切断して、トレイ部分と蓋部分とに分離するようにしたのである。
【００１２】
また、後面板の両側に側面板を連設し、前面板の両側に蓋側板を連設した上記包装展示兼用箱において、側面板及び蓋側板に切欠部分を設けることにより、包装時に、蓋側板の後部が側面板の内側へ入り込むように側面板と蓋側板とが噛み合って、蓋側板の外側への広がりが抑制されるようにしたのである。
【００１３】
また、底面板の両側に側面板を連設し、天面板の両側に蓋側板を連設した上記包装展示兼用箱において、対向する側面板から延出した内後板を突き合わせ、天面板に入れた切目線が後面板と天面板の境界の両端へ向かうようにして、天面板の切目線より後方部分を巻込片とし、展示に際しては、巻込片を巻き込むように折り曲げて、内後板を後面板と巻込片との間に挟み込み、巻込片の先端部を内後板に設けた差込穴に差し込むことにより、トレイ部分の後部の組立構造を維持するようにしたのである。
【００１４】
さらに、前壁は、外前板及び内前板が底面板から順次連なる構成とし、側面板の前端に折込片を連設し、包装に際しては、外前板及び内前板を巻き込むように折り曲げ、折込片を外前板と内前板との間に挟み込み、前壁と側面板とを底面板から起立状態に保持するようにしたのである。
【発明の効果】
【００１５】
この発明に係る包装展示兼用箱は、１ピースのブランクから成るので、包材の管理を合理化でき、商品包装に際し、折り曲げによりトレイ部分を形成して、これに蓋部分を被せることにより、手作業で容易に組み立てることができる。
【００１６】
また、前壁を外前板及び内前板が繋がった額縁構造とし、その間に側面板から延びる折込片を挟む構造とすると、前壁と側面板とが結合されて、その起立状態が確実に保持されるので、トレイ部分が堅固な構造となり、変形しにくく、強度に優れた包装となる。
【００１７】
また、商品の展示に際しては、後面板と天面板の境界の両端へ向かう切目線を切断することにより、簡単に開封して、トレイ部分から蓋部分を除去できるので、店頭での展示作業に伴う手間が軽減される。
【００１８】
そして、展示状態では、切断縁が目立たないので、美粧性に優れた展示ができ、トレイ部分の前壁により商品の前方へのこぼれ出しを防止すると共に、商品を後方に凭れさせて展示することができる。
【図面の簡単な説明】
【００１９】
【図１】この発明の第１実施形態に係る包装展示兼用箱のブランクを示す図
【図２】同上の包装展示兼用箱の包装過程を示す斜視図
【図３】同上の包装展示兼用箱の包装状態を示す斜視図
【図４】同上の展示状態への変換過程を示す斜視図
【図５】同上のトレイ部分の展示状態を示す斜視図
【図６】この発明の第２実施形態に係る包装展示兼用箱のブランクを示す図
【図７】同上の包装展示兼用箱の包装過程を示す斜視図
【図８】同上の包装展示兼用箱の包装過程を示す斜視図
【図９】同上の包装展示兼用箱の包装状態を示す斜視図
【図１０】同上の展示状態への変換過程を示す斜視図
【図１１】同上のトレイ部分の展示状態を示す斜視図
【図１２】従来の包装展示兼用箱の包装状態を示す斜視図
【発明を実施するための形態】
【００２０】
まず、この発明の第１実施形態を図１〜図５に基づいて説明する。
【００２１】
この包装展示兼用箱は、高さが奥行より大きい深型のものであり、図１に示す段ボールのブランクから組み立てられる。このブランクでは、前壁１、底面板２、後面板３、天面板４及び前面板５が段ボールの段目方向に順次連設され、後面板３の両側に側面板６が、前面板５の両側に蓋側板７がそれぞれ連設されている。
【００２２】
前壁１は、外前板８、頂板９及び内前板１０が底面板２から順次連なる構成とされ、内前板１０の先端側の端辺には係止突起１０ａが２個設けられている。また、底面板２の外前板８との境界部には、２箇所に係止穴２ａが設けられている。
【００２３】
後面板３と天面板４の境界部には、その両端へ向かうミシン目状の切目線１１が入れられ、切目線１１は、後面板３と天面板４の境界線上の両側部分に挟まれた中間部分が後面板３内へ屈曲して、その内側領域が逆台形状の押込部１１ａとされている。
【００２４】
側面板６は、底面板２側を長く延出し、他側部分を短く切り欠いた形状とされ、蓋側板７は、天面板４側を長く延出し、他側部分を短く切り欠いた形状とされている。側面板６の前端となる端辺には折込片１２が連設され、下端となる端辺には折曲片１３が連設されている。蓋側板７の上端となる端辺には折曲片１４が連設されている。
【００２５】
前面板５の下端となる端辺の中央部には、封緘用の差込片５ａが設けられ、外前板８の底面板２との境界部には、係止穴２ａに挟まれた位置に差込穴１ａが設けられている。また、内前板１０の先端縁中央部が差込穴１ａに対応して切り欠かれている。
【００２６】
そして、このブランクにおいて、前壁１、底面板２、後面板３、一対の側面板６及びその付属部分からトレイ部分２１が構成され、天面板４、前面板５、一対の蓋側板７及びその付属部分から蓋部分２２が構成される。
【００２７】
このようなブランクを組み立てて配送する商品を包装する際には、図２において、後面板３を下方とした横倒し状態で示すように、後面板３から両側の側面板６を対向するように折り曲げ、側面板６から折曲片１３を内側へ折り曲げて、後面板３から底面板２を起こすように折り曲げ、折曲片１３を底面板２の裏面に沿わせる。
【００２８】
次に、側面板６から折込片１２を内側へ折り曲げて、外前板８、頂板９及び内前板１０を巻き込むように折り曲げ、折込片１２を外前板８と内前板１０との間に挟み込み、係止突起１０ａを係止穴２ａに係合させる。
【００２９】
これにより、前壁１は、外前板８と内前板１０とが頂部で繋がったいわゆる額縁構造となり、その間に側面板６から延びる折込片１２を挟み込むので、底面板２に対し前壁１及び側面板６が起立状態に保持され、レトルト食品等の商品Ｇを収納するトレイ部分２１が組み立てられる。
【００３０】
また、前面板５から両側の蓋側板７を対向するように折り曲げ、蓋側板７から折曲片１４を内側へ折り曲げて、天面板４から前面板５を起こすように折り曲げ、折曲片１４を天面板４の裏面に沿わせた状態で、後面板３から天面板４を起こすように折り曲げると、蓋部分２２が組み立てられる。
【００３１】
このとき、蓋側板７の切り欠かれていない部分を側面板６の内側へ入り込ませて、図３に示すように、トレイ部分２１に蓋部分２２を被せる。
【００３２】
そして、蓋側板７の底面板２寄りの部分を側面板６の前部外面に重ねることにより、側面板６と蓋側板７とを噛み合わせ、前面板５を前壁１の外面に重ね、差込片５ａを差込穴１ａに差し込んで封緘し、底面板２を下方として直立させる。
【００３３】
この包装状態では、底面板２と側面板６の稜部が折曲片１３により塞がれ、天面板４と蓋側板７の稜部が折曲片１４により塞がれるので、箱内への塵埃の侵入が防止される。また、側面板６の内側に蓋側板７の後部が入り込んでいるので、蓋側板７の外側への広がりが抑制され、組立形状が維持される。
【００３４】
一方、店頭での商品の展示に際しては、後面上部の押込部１１ａを押し込んで、図４に示すように、天面板４の後部を手前に引くことにより、切目線１１を切断して開封し、差込片５ａを差込穴１ａから引き抜いて、トレイ部分２１と蓋部分２２とに分離する。
【００３５】
そして、トレイ部分２１から蓋部分２２を除去し、図５に示すように、トレイ部分２１に収容された商品Ｇが露出した展示状態とする。この展示状態では、切断縁が目立たないので、美粧性に優れた展示ができ、前壁１により商品Ｇの前方へのこぼれ出しを防止すると共に、商品Ｇを後方に凭れさせて安定した状態で展示することができる。
【００３６】
上記第１実施形態に係る包装展示兼用箱は、１ピースのブランクから成るので、包材の管理を合理化でき、商品包装時に組み立てる際、前壁１に折込片１２を挟み込んで額縁構造を形成することにより、トレイ部分２１を保形して、これに蓋部分２２を被せる構成としているので、手作業で容易に組み立てることができる。
【００３７】
また、前壁１と側面板６とが結合されて、その起立状態が確実に保持されるので、トレイ部分２１が堅固な構造となり、さらに、側面板６と蓋側板７とが噛み合っているので、変形しにくく、強度に優れた包装となる。
【００３８】
また、商品Ｇの展示に際しては、後面板３と天面板４の境界の両端へ向かう切目線１１を切断することにより、簡単に開封して、トレイ部分２１から蓋部分２２を除去できるので、店頭での展示作業に伴う手間が軽減される。
【００３９】
次に、この発明の第２実施形態を図６〜図１１に基づいて説明する。
【００４０】
この包装展示兼用箱は、高さよりも奥行が大きい浅型のものであり、図６に示す段ボールのブランクから組み立てられる。このブランクでは、前壁１、底面板２、後面板３、天面板４及び前面板５が段ボールの段目方向に直交する方向に順次連設され、底面板２の両側に側面板６が連設され、天面板４の両側に蓋側板７が連設されている。
【００４１】
前壁１は、外前板８、頂板９及び内前板１０が底面板２から順次連なる構成とされ、内前板１０の先端には中央部に係止突起１０ａが設けられている。また、底面板２の外前板８との境界部には、中央部に係止穴２ａが設けられている。
【００４２】
天面板４の後面板３寄りの部分には、鉤状の切目が断続するジッパ型の切目線１１が後面板３と天面板４の境界の両端へ向かって斜めに入れられ、天面板４の幅方向中間部でミシン目状の切目線１１が屈曲して、その内側領域が押込部１１ａとされている。天面板４の切目線１１より後面板３寄りの部分は、押込部１１ａを含めて巻込片１１ｂとされ、巻込片１１ｂには、後面板３との境界に沿って額縁部１１ｃが設けられている。
【００４３】
側面板６の前端となる端辺には折込片１２が連設され、後端となる端辺には内後板１５が連設されている。一方の内後板１５の縦端辺には先広がりテーパー状の継凸部１５ａが設けられ、他方の内後板１５の縦端辺には開口側の幅が狭くなった継凹部１５ｂが設けられている。また、両方の内後板１５の縦端辺には、組立時に噛み合う継凸部１５ａと継凹部１５ｂの上方で互いに連通する差込穴１５ｃが切込により設けられている。
【００４４】
蓋側板７の後端となる端辺には折曲片１６が連設され、前端となる端辺には折曲片１７が連設されている。前面板５の下端となる端辺には、頂板１８及び前巻板１９が順次連設され、前巻板１９の両側縁には係止突起１９ａが設けられている。また、蓋側板７の折曲片１７との境界部には、係止穴７ａが設けられている。
【００４５】
そして、このブランクにおいて、前壁１、底面板２、後面板３、一対の側面板６及びその付属部分からトレイ部分２１が構成され、天面板４、前面板５、一対の蓋側板７及びその付属部分から蓋部分２２が構成される。
【００４６】
このようなブランクを組み立てて配送する商品を包装する際には、図７に示すように、底面板２を下方として、底面板２から両側の側面板６を対向するように折り曲げ、側面板６から折込片１２を内側へ折り曲げて、外前板８、頂板９及び内前板１０を巻き込むように折り曲げ、折込片１２を外前板８と内前板１０との間に挟み込み、係止突起１０ａを係止穴２ａに係合させ、額縁構造の前壁１を形成する。
【００４７】
また、側面板６から内後板１５を内側へ折り曲げて、内後板１５同士を突き合わせ、その継凸部１５ａと継凹部１５ｂとを噛み合わせる。
【００４８】
ここまでの工程により、底面板２に対し前壁１及び側面板６が起立状態に保持され、内後板１５が突合状態で固定されて、レトルト食品等の商品Ｇを収納するトレイ部分２１が組み立てられる。
【００４９】
次に、天面板４から両側の蓋側板７を対向するように折り曲げ、蓋側板７から折曲片１６，１７を内側へ折り曲げた後、天面板４から前面板５を起こすように折り曲げ、頂板１８及び前巻板１９を巻き込むように折り曲げて、折曲片１７を前面板５と前巻板１９との間に挟み込み、係止突起１９ａを係止穴７ａに係合させる。
【００５０】
これにより、前面板５、頂板１８及び前巻板１９が額縁構造を形成し、前面板５及び両側の蓋側板７が起立状態に維持されて、蓋部分２２が組み立てられる。
【００５１】
そして、図８に示すように、後面板３から天面板４を起こすように折り曲げて、折曲片１６を後面板３の裏面に重ね、図９に示すように、折曲片１６を内後板１５に沿わせ、側面板６の外側に蓋側板７を沿わせて、トレイ部分２１に蓋部分２２を被せ、前巻板１９を前壁１の外面に重ねると、包装が完了する。
【００５２】
この包装状態では、後面板３と側面板６の稜部が内後板１５及び折曲片１６により塞がれ、前面板５と蓋側板７の稜部が折曲片１７により塞がれるので、箱内への塵埃の侵入が防止される。
【００５３】
一方、店頭での商品の展示に際しては、図１０に示すように、天面後部の押込部１１ａを押し込んで、巻込片１１ｂを引き上げることにより、切目線１１を切断して開封し、後面板３を後方へ倒して、蓋部分２２を手前に引っ張ることにより、折曲片１６の折り曲げを開放方向へ戻し、トレイ部分２１から蓋部分２２を分離して除去する。
【００５４】
そして、図１１に示すように、トレイ部分２１に収容された商品Ｇが露出した展示状態で、後面板３を底面板２から起こし、額縁部１１ｃ及び巻込片１１ｂを巻き込むように折り曲げて、内後板１５を後面板３と巻込片１１ｂとの間に挟み込み、押込部１１ａを差込穴１５ｃに差し込むと、後面板３、額縁部１１ｃ及び巻込片１１ｂが額縁構造を形成し、後面板３と側面板６とが連結されて、トレイ部分２１の後部の組立構造が維持される。
【００５５】
この展示状態では、切断縁が目立たないので、美粧性に優れた展示ができ、前壁１により商品Ｇの前方へのこぼれ出しを防止すると共に、商品Ｇを後方に凭れさせて安定した状態で展示することができる。
【００５６】
上記第２実施形態に係る包装展示兼用箱もまた、１ピースのブランクから成るので、包材の管理を合理化でき、商品包装時に組み立てる際、前壁１に折込片１２を挟み込んで額縁構造を形成することにより、トレイ部分２１を保形して、これに蓋部分２２を被せる構成としているので、手作業で容易に組み立てることができる。
【００５７】
また、前壁１と側面板６とが結合されて、その起立状態が確実に保持されるので、トレイ部分２１が堅固な構造となり、さらに、前面板５と蓋側板７とが結合されて、蓋部分２２も堅固な構造となるので、変形しにくく、強度に優れた包装となる。
【００５８】
また、商品Ｇの展示に際しては、後面板３と天面板４の境界の両端へ向かう切目線１１を切断することにより、簡単に開封して、トレイ部分２１から蓋部分２２を除去できるので、店頭での展示作業に伴う手間が軽減される。
【００５９】
ところで、上記各実施形態では、底面板２又は後面板３の両側に側面板６を連設すると共に、天面板４又は前面板５の両側に蓋側板７を連設したものを例示したが、底面板２、後面板３、天面板４及び前面板５にそれぞれ片側ずつ側面板６及び蓋側板７を連設したものとしてもよい。
【００６０】
また、前壁１として、外前板８、頂板９及び内前板１０が順次連なる構成のものを例示したが、頂板９は省略してもよい。また、前壁１が二重構造をなすものを例示したが、前壁１を一重とし、側面板６の前端から延びる差込片を前壁１に設けた差込穴に差し込むことにより、前壁１と側面板６とを底面板２から起立状態に保持するようにしてもよい。
【００６１】
そのほか、上記各実施形態では、材料として段ボールを使用したものを例示したが、段ボールに換えて、板紙等の他のシート材を材料として使用してもよい。
【符号の説明】
【００６２】
１  前壁
１ａ  差込穴
２  底面板
２ａ  係止穴
３  後面板
４  天面板
５  前面板
５ａ  差込片
６  側面板
７  蓋側板
７ａ  係止穴
８  外前板
９  頂板
１０  内前板
１０ａ  係止突起
１１  切目線
１１ａ  押込部
１１ｂ  巻込片
１１ｃ  額縁部
１２  折込片
１３，１４  折曲片
１５  内後板
１５ａ  継凸部
１５ｂ  継凹部
１５ｃ  差込穴
１６，１７  折曲片
１８  頂板
１９  前巻板
１９ａ  係止突起
２１  トレイ部分
２２  蓋部分
Ｇ  商品
【図１】
2015145274.tif 000003
【図２】
2015145274.tif 000004
【図３】
2015145274.tif 000005
【図４】
2015145274.tif 000006
【図５】
2015145274.tif 000007
【図６】
2015145274.tif 000008
【図７】
2015145274.tif 000009
【図８】
2015145274.tif 000010
【図９】
2015145274.tif 000011
【図１０】
2015145274.tif 000012
【図１１】
2015145274.tif 000013
【図１２】
2015145274.tif 000014